(57)【要約】【課題】精度良く視聴者の嗜好に合った番組の記録予約を行うことができる記録予約システム、録画予約システム、録画予約指示装置、録画制御装置及びテレビジョン受信機を提供する。【解決手段】テレビジョン受信機（記録制御装置、録画制御装置）１は、放送時に視聴された番組及び録画装置２で再生された番組の視聴時間を示す時間情報を録画予約指示装置（記録予約指示装置）３へ送信する。録画予約指示装置３は、番組をジャンル分けし、視聴時間をジャンル別に積算し、ジャンル別に積算した視聴時間に基づいて、複数のテレビジョン受信機１をグループに分類する。また、録画予約指示装置３は、グループ内の多くのテレビジョン受信機１で視聴された番組の次回放送分に相当する番組の録画予約を、グループ内のテレビジョン受信機１に指示する。視聴者の嗜好に合った番組が選別され、この番組の録画が確実に行われる。【選択図】図１
2013219688.tif 000002
【特許請求の範囲】
【請求項１】
放送された番組の記録を制御する複数の記録制御装置と、該複数の記録制御装置に記録予約を指示する記録予約指示装置とを備える記録予約システムにおいて、
前記記録制御装置は、
記録された番組の内で再生された番組、及び該番組が再生された時間長さを特定する手段と、
該手段が特定した番組を示す番組情報、及び前記時間長さを示す時間情報を前記記録予約指示装置へ送信する手段とを備え、
前記記録予約指示装置は、
前記記録制御装置から受信した番組情報が示す番組を、複数のジャンルの何れかに分類する手段と、
夫々の前記記録制御装置から受信した時間情報が示す時間長さを、前記番組が分類されたジャンル別に積算する手段と、
該手段が夫々の前記記録制御装置について積算したジャンル別の時間長さに基づいて、前記複数の記録制御装置を複数のグループに分類する手段と、
一つのグループに分類された複数の前記記録制御装置の内で所定数以上の前記記録制御装置から送信された同一の番組情報が示す番組の次回放送分に相当する番組を特定する手段と、
該手段が特定した番組の記録予約を指示する記録予約指示情報を、前記一つのグループに分類された複数の前記記録制御装置へ送信する手段とを備え、
前記記録制御装置は、更に、
前記記録予約指示装置から受信した記録予約指示情報で記録予約を指示された番組の記録予約を行う予約手段を備えること
を特徴とする記録予約システム。
【請求項２】
前記記録制御装置は、
放送された番組を表す放送信号を受信する手段と、
該手段が受信した放送信号に基づいて内容が放送時に出力された番組、及び前記内容が出力された時間長さを特定する手段と、
該手段が特定した番組を示す番組情報、及び前記時間長さを示す時間情報を前記記録予約指示装置へ送信する手段と
を更に備えることを特徴とする請求項１に記載の記録予約システム。
【請求項３】
放送された番組の録画を制御する複数の録画制御装置と、該複数の録画制御装置に録画予約を指示する録画予約指示装置とを備える録画予約システムにおいて、
前記録画制御装置は、
録画された番組の内で再生された番組、及び該番組が再生された時間長さを特定する手段と、
該手段が特定した番組を示す番組情報、及び前記時間長さを示す時間情報を前記録画予約指示装置へ送信する手段とを備え、
前記録画予約指示装置は、
前記録画制御装置から受信した番組情報が示す番組を、複数のジャンルの何れかに分類する手段と、
夫々の前記録画制御装置から受信した時間情報が示す時間長さを、前記番組が分類されたジャンル別に積算する手段と、
該手段が夫々の前記録画制御装置について積算したジャンル別の時間長さに基づいて、前記複数の録画制御装置を複数のグループに分類する手段と、
一つのグループに分類された複数の前記録画制御装置の内で所定数以上の前記録画制御装置から送信された同一の番組情報が示す番組の次回放送分に相当する番組を特定する手段と、
該手段が特定した番組の録画予約を指示する録画予約指示情報を、前記一つのグループに分類された複数の前記録画制御装置へ送信する手段とを備え、
前記録画制御装置は、更に、
前記録画予約指示装置から受信した録画予約指示情報で録画予約を指示された番組の録画予約を行う予約手段を備えること
を特徴とする録画予約システム。
【請求項４】
前記録画制御装置は、
放送された番組を表す放送信号を受信する手段と、
該手段が受信した放送信号に基づいた映像が放送時に出力された番組、及び前記映像が出力された時間長さを特定する手段と、
該手段が特定した番組を示す番組情報、及び前記時間長さを示す時間情報を前記録画予約指示装置へ送信する手段と
を更に備えることを特徴とする請求項３に記載の録画予約システム。
【請求項５】
前記録画制御装置は、
放送された番組を表す放送信号を受信する手段と、
該手段が受信した放送信号に基づいた映像を表示する表示手段と、
該表示手段が前記映像を放送時に表示した番組、及び前記映像を前記表示手段が表示した時間長さを特定する手段と、
該手段が特定した番組を示す番組情報、及び前記時間長さを示す時間情報を前記録画予約指示装置へ送信する手段と
を更に備えることを特徴とする請求項３に記載の録画予約システム。
【請求項６】
前記録画制御装置は、外部の録画装置が接続されており、
前記予約手段は、
前記録画予約指示情報で録画予約を指示された番組を示す情報を記憶する手段と、
前記情報が示す番組が放送されたときに、前記録画装置に前記番組を録画させる手段と
を有することを特徴とする請求項５に記載の録画予約システム。
【請求項７】
複数の外部装置に録画予約を指示する録画予約指示装置において、
放送された番組を示す番組情報、及び前記番組が視聴された時間長さを示す時間情報を、前記複数の外部装置から受信する手段と、
該手段が受信した番組情報が示す番組を、複数のジャンルの何れかに分類する手段と、
夫々の前記外部装置から受信した時間情報が示す時間長さを、前記番組が分類されたジャンル別に積算する手段と、
該手段が夫々の前記外部装置について積算したジャンル別の時間長さに基づいて、前記複数の外部装置を複数のグループに分類する手段と、
一つのグループに分類された複数の前記外部装置の内で所定数以上の前記外部装置から送信された同一の番組情報が示す番組の次回放送分に相当する番組を特定する手段と、
該手段が特定した番組の録画予約を指示する録画予約指示情報を、前記一つのグループに分類された複数の前記外部装置へ送信する手段と
を備えることを特徴とする録画予約指示装置。
【請求項８】
放送された番組の録画を制御する録画制御装置において、
録画された番組の内で再生された番組、及び該番組が再生された時間長さを特定する手段と、
該手段が特定した番組を示す番組情報、及び前記時間長さを示す時間情報を外部へ送信する手段と、
特定の番組の録画予約を指示する録画予約指示情報を外部から受信する手段と、
該手段が受信した録画予約指示情報で録画予約を指示された番組の録画予約を行う手段と
を備えることを特徴とする録画制御装置。
【請求項９】
放送された番組を表す放送信号を受信する手段と、前記放送信号に基づいた映像を表示する表示手段と、外部の録画装置で録画された番組を再生するための再生信号を前記録画装置から受け付け、前記再生信号に基づいた映像を前記表示手段に表示させることによって、前記番組を再生する再生手段とを備えるテレビジョン受信機において、
前記再生手段が再生した番組、及び該番組を前記再生手段が再生した時間長さを特定する手段と、
該手段が特定した番組を示す番組情報、及び前記時間長さを示す時間情報を外部へ送信する手段と、
特定の番組の録画予約を指示する録画予約指示情報を外部から受信する手段と、
前記録画予約指示情報で録画予約を指示された番組を示す情報を記憶する手段と、
前記情報が示す番組が放送されたときに、前記録画装置に前記番組を録画させる手段と
を備えることを特徴とするテレビジョン受信機。
【請求項１０】
放送された番組を表す放送信号を受信する手段と、前記放送信号に基づいた映像を表示する表示手段と、放送信号を受信した番組を録画する手段と、該手段が録画した番組の映像を前記表示手段に表示させることによって、前記番組を再生する再生手段とを備えるテレビジョン受信機において、
前記再生手段が再生した番組、及び該番組を前記再生手段が再生した時間長さを特定する手段と、
該手段が特定した番組を示す番組情報、及び前記時間長さを示す時間情報を外部へ送信する手段と、
特定の番組の録画予約を指示する録画予約指示情報を外部から受信する手段と、
前記録画予約指示情報で録画予約を指示された番組を示す情報を記憶する手段と、
前記情報が示す番組が放送されたときに、前記録画装置に前記番組を録画させる手段と
を備えることを特徴とするテレビジョン受信機。
【請求項１１】
受信した放送信号に基づいた映像を放送時に前記表示手段で表示した番組、及び前記映像を前記表示手段で表示した時間長さを特定する手段と、
該手段が特定した番組を示す番組情報、及び前記時間長さを示す時間情報を外部へ送信する手段と
を更に備えることを特徴とする請求項９又は１０に記載のテレビジョン受信機。
【発明の詳細な説明】
【技術分野】
【０００１】
本発明は、使用者の嗜好に応じて、放送される番組の記録予約を行う記録予約システム、放送される番組の録画予約を行う録画予約システム、録画予約指示装置、録画制御装置及びテレビジョン受信機に関する。
【背景技術】
【０００２】
現在、テレビジョン放送の受像機及び録画装置が普及している。使用者は、放送された番組を放送時に受像機を用いて視聴するか、又は番組を録画装置に録画しておいて後で視聴する。通常、番組の録画を行うためには、録画すべき番組を指定する録画予約を予め行っておく必要がある。放送時に番組を視聴する際には使用者は嗜好に合った番組を選択することができるものの、録画予約の際には、番組の内容が明らかではないので、嗜好に合った番組を選択できるとは限らない。
【０００３】
そこで、使用者が嗜好に合った番組を視聴できるようにする技術が開発されている。特許文献１には、複数の録画装置での録画予約の内容を集計し、番組の嗜好に応じて録画装置をグループ分けし、グループ内の多数の録画装置で録画予約がなされている番組の録画予約を他の録画装置に行わせる技術が記載されている。特許文献２には、番組の放送時に複数の使用者の視聴状況を集計し、番組の嗜好に応じて使用者を分類し、同様の嗜好の使用者が視聴している番組の情報を使用者に紹介する技術が開示されている。これらの技術により、録画予約のために使用者の嗜好に合った番組を選択することが可能となる。
【先行技術文献】
【特許文献】
【０００４】
【特許文献１】特開２００４−３２０６０８号公報
【特許文献２】特開２００３−１８９３３３号公報
【発明の概要】
【発明が解決しようとする課題】
【０００５】
しかしながら、特許文献１に開示された技術では、録画予約の情報が集計されてはいるものの、録画された番組が視聴されたかどうかは考慮されていない。実際には、録画されたものの使用者の嗜好に合わずにほとんど視聴されない番組も存在する。このため、録画予約された番組が使用者の嗜好に合わない可能性も高くなる。また、特許文献２に開示された技術では、番組の放送時の視聴状況のみを集計しているので、録画した番組についての嗜好が反映されない。このように、従来の技術では、録画予約のために番組の選択を使用者の嗜好に合わせる精度が悪いという問題がある。
【０００６】
本発明は、斯かる事情に鑑みてなされたものであって、その目的とするところは、記録された番組を含む番組の視聴状況を集計することによって、精度良く使用者の嗜好に合った番組の記録予約を行うことができる記録予約システム、録画予約システム、録画予約指示装置、録画制御装置及びテレビジョン受信機を提供することにある。
【課題を解決するための手段】
【０００７】
本発明に係る記録予約システムは、放送された番組の記録を制御する複数の記録制御装置と、該複数の記録制御装置に記録予約を指示する記録予約指示装置とを備える記録予約システムにおいて、前記記録制御装置は、記録された番組の内で再生された番組、及び該番組が再生された時間長さを特定する手段と、該手段が特定した番組を示す番組情報、及び前記時間長さを示す時間情報を前記記録予約指示装置へ送信する手段とを備え、前記記録予約指示装置は、前記記録制御装置から受信した番組情報が示す番組を、複数のジャンルの何れかに分類する手段と、夫々の前記記録制御装置から受信した時間情報が示す時間長さを、前記番組が分類されたジャンル別に積算する手段と、該手段が夫々の前記記録制御装置について積算したジャンル別の時間長さに基づいて、前記複数の記録制御装置を複数のグループに分類する手段と、一つのグループに分類された複数の前記記録制御装置の内で所定数以上の前記記録制御装置から送信された同一の番組情報が示す番組の次回放送分に相当する番組を特定する手段と、該手段が特定した番組の記録予約を指示する記録予約指示情報を、前記一つのグループに分類された複数の前記記録制御装置へ送信する手段とを備え、前記記録制御装置は、更に、前記記録予約指示装置から受信した記録予約指示情報で記録予約を指示された番組の記録予約を行う予約手段を備えることを特徴とする。
【０００８】
本発明に係る記録予約システムでは、前記記録制御装置は、放送された番組を表す放送信号を受信する手段と、該手段が受信した放送信号に基づいて内容が放送時に出力された番組、及び前記内容が出力された時間長さを特定する手段と、該手段が特定した番組を示す番組情報、及び前記時間長さを示す時間情報を前記記録予約指示装置へ送信する手段とを更に備えることを特徴とする。
【０００９】
本発明に係る録画予約システムは、放送された番組の録画を制御する複数の録画制御装置と、該複数の録画制御装置に録画予約を指示する録画予約指示装置とを備える録画予約システムにおいて、前記録画制御装置は、録画された番組の内で再生された番組、及び該番組が再生された時間長さを特定する手段と、該手段が特定した番組を示す番組情報、及び前記時間長さを示す時間情報を前記録画予約指示装置へ送信する手段とを備え、前記録画予約指示装置は、前記録画制御装置から受信した番組情報が示す番組を、複数のジャンルの何れかに分類する手段と、夫々の前記録画制御装置から受信した時間情報が示す時間長さを、前記番組が分類されたジャンル別に積算する手段と、該手段が夫々の前記録画制御装置について積算したジャンル別の時間長さに基づいて、前記複数の録画制御装置を複数のグループに分類する手段と、一つのグループに分類された複数の前記録画制御装置の内で所定数以上の前記録画制御装置から送信された同一の番組情報が示す番組の次回放送分に相当する番組を特定する手段と、該手段が特定した番組の録画予約を指示する録画予約指示情報を、前記一つのグループに分類された複数の前記録画制御装置へ送信する手段とを備え、前記録画制御装置は、更に、前記録画予約指示装置から受信した録画予約指示情報で録画予約を指示された番組の録画予約を行う予約手段を備えることを特徴とする。
【００１０】
本発明に係る録画予約システムでは、前記録画制御装置は、放送された番組を表す放送信号を受信する手段と、該手段が受信した放送信号に基づいた映像が放送時に出力された番組、及び前記映像が出力された時間長さを特定する手段と、該手段が特定した番組を示す番組情報、及び前記時間長さを示す時間情報を前記録画予約指示装置へ送信する手段とを更に備えることを特徴とする。
【００１１】
本発明に係る録画予約システムでは、前記録画制御装置は、放送された番組を表す放送信号を受信する手段と、該手段が受信した放送信号に基づいた映像を表示する表示手段と、該表示手段が前記映像を放送時に表示した番組、及び前記映像を前記表示手段が表示した時間長さを特定する手段と、該手段が特定した番組を示す番組情報、及び前記時間長さを示す時間情報を前記録画予約指示装置へ送信する手段とを更に備えることを特徴とする。
【００１２】
本発明に係る録画予約システムでは、前記録画制御装置は、外部の録画装置が接続されており、前記予約手段は、前記録画予約指示情報で録画予約を指示された番組を示す情報を記憶する手段と、前記情報が示す番組が放送されたときに、前記録画装置に前記番組を録画させる手段とを有することを特徴とする。
【００１３】
本発明に係る録画予約指示装置は、複数の外部装置に録画予約を指示する録画予約指示装置において、放送された番組を示す番組情報、及び前記番組が視聴された時間長さを示す時間情報を、前記複数の外部装置から受信する手段と、該手段が受信した番組情報が示す番組を、複数のジャンルの何れかに分類する手段と、夫々の前記外部装置から受信した時間情報が示す時間長さを、前記番組が分類されたジャンル別に積算する手段と、該手段が夫々の前記外部装置について積算したジャンル別の時間長さに基づいて、前記複数の外部装置を複数のグループに分類する手段と、一つのグループに分類された複数の前記外部装置の内で所定数以上の前記外部装置から送信された同一の番組情報が示す番組の次回放送分に相当する番組を特定する手段と、該手段が特定した番組の録画予約を指示する録画予約指示情報を、前記一つのグループに分類された複数の前記外部装置へ送信する手段とを備えることを特徴とする。
【００１４】
本発明に係る録画制御装置は、放送された番組の録画を制御する録画制御装置において、録画された番組の内で再生された番組、及び該番組が再生された時間長さを特定する手段と、該手段が特定した番組を示す番組情報、及び前記時間長さを示す時間情報を外部へ送信する手段と、特定の番組の録画予約を指示する録画予約指示情報を外部から受信する手段と、該手段が受信した録画予約指示情報で録画予約を指示された番組の録画予約を行う手段とを備えることを特徴とする。
【００１５】
本発明に係るテレビジョン受信機は、放送された番組を表す放送信号を受信する手段と、前記放送信号に基づいた映像を表示する表示手段と、外部の録画装置で録画された番組を再生するための再生信号を前記録画装置から受け付け、前記再生信号に基づいた映像を前記表示手段に表示させることによって、前記番組を再生する再生手段とを備えるテレビジョン受信機において、前記再生手段が再生した番組、及び該番組を前記再生手段が再生した時間長さを特定する手段と、該手段が特定した番組を示す番組情報、及び前記時間長さを示す時間情報を外部へ送信する手段と、特定の番組の録画予約を指示する録画予約指示情報を外部から受信する手段と、前記録画予約指示情報で録画予約を指示された番組を示す情報を記憶する手段と、前記情報が示す番組が放送されたときに、前記録画装置に前記番組を録画させる手段とを備えることを特徴とする。
【００１６】
本発明に係るテレビジョン受信機は、放送された番組を表す放送信号を受信する手段と、前記放送信号に基づいた映像を表示する表示手段と、放送信号を受信した番組を録画する手段と、該手段が録画した番組の映像を前記表示手段に表示させることによって、前記番組を再生する再生手段とを備えるテレビジョン受信機において、前記再生手段が再生した番組、及び該番組を前記再生手段が再生した時間長さを特定する手段と、該手段が特定した番組を示す番組情報、及び前記時間長さを示す時間情報を外部へ送信する手段と、特定の番組の録画予約を指示する録画予約指示情報を外部から受信する手段と、前記録画予約指示情報で録画予約を指示された番組を示す情報を記憶する手段と、前記情報が示す番組が放送されたときに、前記録画装置に前記番組を録画させる手段とを備えることを特徴とする。
【００１７】
本発明に係るテレビジョン受信機は、受信した放送信号に基づいた映像を放送時に前記表示手段で表示した番組、及び前記映像を前記表示手段で表示した時間長さを特定する手段と、該手段が特定した番組を示す番組情報、及び前記時間長さを示す時間情報を外部へ送信する手段とを更に備えることを特徴とする。
【００１８】
本発明においては、記録制御装置は、記録後に再生された番組の視聴時間を示す時間情報を記録予約指示装置へ送信する。記録予約指示装置は、番組をジャンル分けし、時間情報が示す視聴時間をジャンル別に積算し、ジャンル別に積算した視聴時間に基づいて、複数の記録制御装置をグループに分類する。また、記録予約指示装置は、グループ内の多くの記録制御装置で視聴された番組の次回放送分に相当する番組の記録予約を、グループ内の記録制御装置に指示する。
【００１９】
本発明においては、録画制御装置（テレビジョン受信機）は、録画後に再生された番組の視聴時間を示す時間情報を録画予約指示装置へ送信する。録画予約指示装置は、番組をジャンル分けし、時間情報が示す視聴時間をジャンル別に積算し、ジャンル別に積算した視聴時間に基づいて、複数の録画制御装置をグループに分類する。また、録画予約指示装置は、グループ内の多くの録画制御装置で視聴された番組の次回放送分に相当する番組の録画予約を、グループ内の録画制御装置に指示する。
【００２０】
また、本発明においては、録画制御装置は、放送時に視聴された番組の視聴時間を示す時間情報を送信する。録画予約指示装置は、再生された番組の視聴時間に、放送時に視聴された番組の視聴時間をも加えて、視聴時間を番組のジャンル別に積算する。
【発明の効果】
【００２１】
本発明にあっては、録画されてかつ視聴された番組の視聴時間に基づき、使用者の嗜好が精度良く反映された番組が特定される。使用者の嗜好に合った番組の録画が確実に行われる等、本発明は優れた効果を奏する。
【図面の簡単な説明】
【００２２】
【図１】実施の形態１に係る録画予約システムの構成を示す概念図である。
【図２】実施の形態１に係るテレビジョン受信機及び録画装置の内部構成を示すブロック図である。
【図３】録画予約指示装置の内部構成を示すブロック図である。
【図４】番組データの内容例を示す概念図である。
【図５】積算データの内容例を示す概念図である。
【図６】放送された番組をテレビジョン受信機を用いて使用者が視聴するときにテレビジョン受信機が実行する処理の手順を示すフローチャートである。
【図７】記憶された番組情報及び時間情報の内容例を示す概念図である。
【図８】テレビジョン受信機から録画予約指示装置へ情報を送信する処理の手順を示すフローチャートである。
【図９】録画予約指示装置がテレビジョン受信機に録画予約を指示する処理の手順を示すフローチャートである。
【図１０】実施の形態２に係る録画予約システムの構成を示す概念図である。
【図１１】実施の形態２に係るテレビジョン受信機の内部構成を示すブロック図である。
【図１２】実施の形態３に係る録画予約システムの構成を示す概念図である。
【発明を実施するための形態】
【００２３】
以下本発明をその実施の形態を示す図面に基づき具体的に説明する。
（実施の形態１）
図１は、実施の形態１に係る録画予約システムの構成を示す概念図である。録画予約システムは、複数のテレビジョン受信機１と、通信ネットワークＮを介してテレビジョン受信機１と通信が可能な録画予約指示装置３とを含んでいる。テレビジョン受信機１には、録画装置２が接続されている。テレビジョン受信機１は、本発明における録画制御装置であり、録画装置２の動作を制御する。録画予約指示装置３は、サーバ装置等の汎用のコンピュータを用いて構成されており、夫々のテレビジョン受信機１に対して録画予約を指示する処理を行う。
【００２４】
図２は、実施の形態１に係るテレビジョン受信機１及び録画装置２の内部構成を示すブロック図である。テレビジョン受信機１は、演算を行う演算部、演算に伴う情報を記憶するＲＡＭ（Random Access Memory）、演算に必要なプログラムを記憶するＲＯＭ（Read Only Memory）等からなり、テレビジョン受信機１の各部の動作を制御する制御部１１を備える。またテレビジョン受信機１は、ＨＤＭＩ（High-Definition Multimedia Interface）の規格に従ったデータを送受信するＨＤＭＩ通信部１３を備えている。ＨＤＭＩ通信部１３及び制御部１１には、ＣＥＣ（Consumer Electronics Control）の規格に従った制御データを送受信するＣＥＣ通信部１４が接続されている。
【００２５】
また、制御部１１及びＨＤＭＩ通信部１３には、テレビジョン受信機１に必要な映像処理及び音声処理を行う処理部１２が接続されている。処理部１２には、テレビジョン放送による放送信号を受信するチューナ１７が接続されている。処理部１２は、チューナ１７が受信した放送信号をデコードし、映像信号及び音声信号を生成する処理を行う。また、処理部１２には、液晶パネル又はＥＬ（Electro Luminescence）パネル等の表示デバイスを含み、映像を表示する表示部１８と、スピーカ又は音声出力端子等を含み、音声を出力する音声出力部１９とが接続されている。処理部１２は、映像信号に基づいた映像を表示部１８に表示させ、音声信号に基づいた音声を音声出力部１９に出力させる。このようにして、放送信号に基づいた映像が表示され、放送された番組の視聴が使用者によって行われる。
【００２６】
また、制御部１１には、不揮発性のメモリ又はハードディスクでなる記憶部１５と、時刻を計測する時計部１６とが接続されている。更に、制御部１１には、外部の通信ネットワークＮに接続され、外部と通信を行う通信部１１０が接続されている。制御部１１は、通信ネットワークＮを介して、録画予約指示装置３に対して通信部１１０からデータを送受信する処理を行う。テレビジョン受信機１は、その他に、使用者からの操作を受け付けるための図示しない操作部、又はリモートコントローラからの信号を受け付ける図示しない受信部を備えている。
【００２７】
録画装置２は、演算を行う演算部、演算に伴う情報を記憶するＲＡＭ、演算に必要なプログラムを記憶するＲＯＭ等からなり、録画装置２の各部の動作を制御する制御部２１を備えている。また録画装置２は、映像処理及び音声処理を行う処理部２２を備える。処理部２２には、チューナ２７と、ハードディスクを内蔵し、ハードディスクに対してデータを読み書きするハードディスクドライブ（ＨＤＤ）２８と、光ディスクに対してデータを読み書きする光ディスクドライブ２９とが接続されている。処理部２２は、チューナ２７が受信した放送信号をデコードし、映像信号及び音声信号を生成する処理を行う。また、処理部２２は、光ディスクドライブ２９及びＨＤＤ２８が読み出したデータをデコードして映像信号及び音声信号を生成する処理、並びに映像信号及び音声信号をエンコードして光ディスクドライブ２９及びＨＤＤ２８に記録させるためのデータを生成する処理を行う。チューナ２７が受信した放送信号からチューナ２７が生成した映像信号及び音声信号をエンコードしたデータを光ディスクドライブ２９又はＨＤＤ２８が記録することにより、放送された番組の録画が行われる。また、制御部２１には、不揮発性のメモリでなる記憶部２５と、時刻を計測する時計部２６とが接続されている。なお、録画装置２は、ＨＤＤ２８及び光ディスクドライブ２９の内の何れか一方のみを備えた形態であってもよく、その他の記憶デバイスを備えた形態であってもよい。
【００２８】
また、制御部２１及び処理部２２にはＨＤＭＩ通信部２３が接続されており、ＨＤＭＩ通信部２３及び制御部２１にはＣＥＣ通信部２４が接続されている。ＨＤＭＩ通信部２３は、テレビジョン受信機１のＨＤＭＩ通信部１３と接続端子及び通信ケーブルを介して互いに接続されている。ＨＤＭＩ通信部２３は、処理部２２が生成した映像信号及び音声信号をテレビジョン受信機１へ送信する。ＨＤＭＩ通信部１３は映像信号及び音声信号を受信し、処理部１２へ入力する。処理部１２は、映像信号に基づいた映像を表示部１８に表示させ、音声信号に基づいた音声を音声出力部１９に出力させる。このようにして、録画装置２に録画された番組の再生が行われる。
【００２９】
また、制御部１１は、ＣＥＣの規格に従った制御データを送受信することにより、録画装置２の動作を制御する処理を実行する。ＨＤＭＩ通信部１３及びＨＤＭＩ通信部２３は、ＨＤＭＩのデータとＣＥＣに対応した制御データとを互いに分離して送受信する構成となっている。制御部１１は、ＣＥＣ通信部１４に、ＣＥＣに対応した制御データを、ＨＤＭＩ通信部１３から録画装置２へ送信させる。ＨＤＭＩ通信部２３は、受信したデータの内、ＣＥＣに対応した制御データをＣＥＣ通信部２４へ入力する。ＣＥＣ通信部２４は制御データを制御部２１へ入力し、制御部２１は、入力された制御データに従って、録画装置２の動作を制御する。
【００３０】
図３は、録画予約指示装置３の内部構成を示すブロック図である。録画予約指示装置３は、演算を行うＣＰＵ３１と、演算に伴って発生する一時的な情報を記憶するＲＡＭ３２と、光ディスク等の記録媒体４から情報を読み取るＣＤ−ＲＯＭドライブ等のドライブ部３３と、ハードディスク等の記憶部３４とを備えている。ＣＰＵ３１は、記録媒体４に記録されたプログラム４１を記録媒体４からドライブ部３３に読み取らせ、読み取ったプログラム４１を記憶部３４に記憶させる。プログラム４１は必要に応じて記憶部３４からＲＡＭ３２へロードされ、ロードされたプログラム４１に基づいてＣＰＵ３１は録画予約指示装置３に必要な処理を実行する。また、録画予約指示装置３は、通信ネットワークＮを介した通信を行う通信部３５と、時刻を計測する時計部３６とを備えている。なお、プログラム４１は、通信ネットワークＮに接続された図示しない他のサーバ装置から録画予約指示装置３へダウンロードされて記憶部３４に記憶される形態であってもよい。
【００３１】
記憶部３４は、過去に放送された番組及び将来放送される予定の番組に関する情報を記録した番組データを記憶している。図４は、番組データの内容例を示す概念図である。個々の番組を区別するための番組ＩＤに、番組を特定するための情報である放送開始時刻及びチャンネルが関連付けられて記録されている。番組ＩＤには、番組を特定するための他の情報が関連付けられていてもよい。また、番組ＩＤに、番組のジャンルが関連付けられて記録されている。番組データには、少なくとも過去の一週間及び将来の一週間を含む所定期間の間に放送された番組及び放送予定の番組に関する情報が記録されている。
【００３２】
また、記憶部３４は、夫々のテレビジョン受信機１で視聴された番組の視聴時間をジャンル別に積算した時間長さを記録した積算データを記憶している。図５は、積算データの内容例を示す概念図である。各ジャンルの番組がテレビジョン受信機１で視聴された時間長さを積算した積算視聴時間と、各ジャンルに分類された番組の番組ＩＤとが、各ジャンルに関連付けられて記録されている。積算データは、夫々のテレビジョン受信機１別に記憶されている。なお、録画予約指示装置３は、複数のコンピュータで構成されていてもよい。
【００３３】
次に、録画予約システムの動作を説明する。図６は、放送された番組をテレビジョン受信機１を用いて使用者が視聴するときにテレビジョン受信機１が実行する処理の手順を示すフローチャートである。制御部１１は、随時、使用者による番組の視聴の開始を待ち受ける（Ｓ１１）。チューナ１７で放送信号を受信し、放送中に、受信した放送信号に基づいた映像を表示部１８で表示する場合に、制御部１１は、放送中の番組の視聴が行われていると判定する。ＨＤＭＩ通信部１３で映像信号を受信し、受信した映像信号に基づいた映像を表示部１８で表示する場合には、制御部１１は、録画装置２で再生された番組の視聴が行われていると判定する。このとき、録画装置２では、光ディスクドライブ２９又はＨＤＤ２８が録画してある番組のデータを読み出し、処理部２２が読み出されたデータから映像信号を生成し、ＨＤＭＩ通信部２３が映像信号を送信することにより、録画された番組の再生が行われる。このように、制御部１１は、放送中の番組のリアルタイムでの視聴、及び録画装置２で再生された番組の視聴を検出する。番組の視聴が開始されない場合は（Ｓ１１：ＮＯ）、制御部１１は待ち受けを続行する。
【００３４】
番組の視聴が開始された場合は（Ｓ１１：ＹＥＳ）、制御部１１は、番組を特定する（Ｓ１２）。放送中の番組が視聴されている場合は、処理部１２は放送信号から番組を特定できる情報を抽出し、抽出した情報を制御部１１へ入力する。制御部１１は、番組を特定できる情報を処理部１２から入力されることによって、番組を特定する。番組を特定できる情報は、例えば、番組の放送開始時刻及び放送されたチャンネルを示す情報である。番組を特定できる情報はその他の情報であってもよい。録画装置２で再生された番組が視聴されている場合は、処理部２２は、光ディスクドライブ２９又はＨＤＤ２８が読み出したデータから番組を特定できる情報を抽出し、ＨＤＭＩ通信部２３は、番組を特定できる情報を送信する。ＨＤＭＩ通信部１３は、番組を特定できる情報を受信し、制御部１１へ入力する。制御部１１は、番組を特定できる情報をＨＤＭＩ通信部１３から入力されることによって、番組を特定する。また、制御部１１は、番組の視聴が開始されたときに、時計部１６が計測した視聴開始時刻を記憶する。なお、制御部１１は、時計部１６に視聴時間の計測を開始させる処理を行ってもよい。
【００３５】
制御部１１は、次に、視聴されている番組が変更されたか否かを判定する（Ｓ１３）。放送信号のチャンネルの変更によって視聴中の番組が変更された場合、番組の放送が終了して他の番組の放送が開始された場合、又は番組の再生が終了して他の番組の再生が開始された場合に、制御部１１は、視聴されている番組が変更されたと判定する。また、放送中の番組の視聴が中止されて番組の再生が開始された場合、又は番組の再生が中止されて放送中の番組の視聴が開始された場合にも、制御部１１は、視聴されている番組が変更されたと判定する。視聴されている番組が変更された場合は（Ｓ１３：ＹＥＳ）、制御部１１は、視聴が終了した番組の視聴時間を特定する（Ｓ１４）。ステップＳ１４では、制御部１１は、番組が変更されたときに時計部１７が計測した視聴終了時刻を取得し、視聴開始時刻から視聴終了時刻までの経過時間を計算することにより、視聴時間を特定する。なお、制御部１１は、番組が変更されたときに、時計部１６が計測した視聴時間を取得し、時計部１６に視聴時間の計測をリセットさせる処理を行ってもよい。視聴時間は、番組を表す放送信号に基づいた映像が放送時に出力された時間長さ、又は番組が再生された時間長さに対応する。
【００３６】
制御部１１は、次に、ステップＳ１２で特定した番組を示す番組情報、及びステップＳ１４で特定した視聴時間を示す時間情報を互いに関連付けて記憶部１５に記憶する（Ｓ１５）。図７は、記憶された番組情報及び時間情報の内容例を示す概念図である。番組情報として、番組の放送開始時刻及び放送されたチャンネルを示す情報が記憶され、これに関連付けて視聴時間を示す情報が記憶されている。また、放送時に視聴された番組であるか又は再生されて視聴された番組であるかの違いを示す情報が記憶されている。番組情報及び時間情報は、視聴された番組の夫々について記憶されている。ステップＳ１５が終了した後は、制御部１１は、処理をステップＳ１２へ戻し、視聴中の番組を特定する。
【００３７】
ステップＳ１３で番組の変更がない場合は（Ｓ１３：ＮＯ）、制御部１１は、番組の視聴が終了したか否かを判定する（Ｓ１６）。例えば、テレビジョン受信機１の図示しない電源スイッチがオフされた場合、又はＨＤＭＩ通信部１３での映像信号の受信が中断して他の番組の視聴が開始されない場合に、制御部１１は、番組の視聴が終了したと判定する。番組の視聴が終了していない場合は（Ｓ１６：ＮＯ）、制御部１１は、処理をステップＳ１３へ戻す。番組の視聴が終了した場合は（Ｓ１６：ＹＥＳ）、制御部１１は、視聴が終了した番組の視聴時間を特定する（Ｓ１７）。制御部１１は、次に、ステップＳ１２で特定した番組を示す番組情報、及びステップＳ１７で特定した視聴時間を示す時間情報を互いに関連付けて記憶部１５に記憶し（Ｓ１８）、処理を終了する。テレビジョン受信機１は、ステップＳ１１〜Ｓ１８の処理を随時繰り返す。
【００３８】
図８は、テレビジョン受信機１から録画予約指示装置３へ情報を送信する処理の手順を示すフローチャートである。テレビジョン受信機１の制御部１１は、ステップＳ１１〜Ｓ１８の処理と並行して、時計部１６が計測する時刻に基づいて、所定の時刻になることを待ち受ける処理を行う（Ｓ２１）。所定の時刻ではない場合は（Ｓ２１：ＮＯ）、制御部１１は待ち受けを続行する。所定の時刻になった場合（Ｓ２１：ＹＥＳ）、制御部１１は、記憶部１６に記憶している番組情報及び時間情報を録画予約指示装置３へ送信する処理を行う（Ｓ２２）。ステップＳ２２では、制御部１１は、通信部１１０に、番組情報及び時間情報を、通信ネットワークＮを介して録画予約指示装置３へ送信させる。制御部１１は、送信した番組情報及び時間情報を記憶部１５から消去する。なお、テレビジョン受信機１は、所定の時刻になる都度ステップＳ２２の処理を実行するのではなく、所定の時間が経過する都度ステップＳ２２の処理を実行してもよい。また、テレビジョン受信機１は、ステップＳ２１〜Ｓ２２の処理を毎日実行してもよく、二日以上の期間毎に実行してもよい。また、テレビジョン受信機１は、番組情報及び時間情報を生成する都度、ステップＳ２２の処理を実行してもよい。
【００３９】
録画予約指示装置３は、通信ネットワークＮを介して複数のテレビジョン受信機１から送信された番組情報及び時間情報を、通信部３５で受信する（Ｓ２３）。ＣＰＵ３１は、記憶部３４に記憶している番組データを参照し、番組情報が示す番組を複数のジャンルの内の何れかのジャンルに分類する（Ｓ２４）。例えば、ＣＰＵ３１は、時間情報に含まれる放送開始時刻及びチャンネルと同一の放送開始時刻及びチャンネルが関連付けられている番組ＩＤを番組データから検索し、検索された番組ＩＤに関連付けられているジャンルを番組データから読み出すことにより、番組情報が示す番組のジャンルを決定する。テレビジョン受信機１から複数の番組情報が送信されている場合は、夫々の番組情報について番組が分類される。ＣＰＵ３１は、次に、番組情報の送信元のテレビジョン受信機１について記憶部３４に記憶している積算データを参照し、ジャンル別の積算視聴時間に時間情報が示す視聴時間を加算して積算視聴時間を更新し（Ｓ２５）、処理を終了する。ステップＳ２５では、ＣＰＵ３１は、番組情報が示す番組のジャンルに積算データ中で関連付けられた積算視聴時間に、番組情報関連付けられた時間情報が示す視聴時間を加算し、加算後の値を積算データに記録する処理を行う。更に、ステップＳ２５では、ＣＰＵ３１は、番組情報が示す番組の番組ＩＤを、ジャンルに関連付けて積算データに記録する。
【００４０】
図９は、録画予約指示装置３がテレビジョン受信機１に録画予約を指示する処理の手順を示すフローチャートである。ＣＰＵ３１は、時計部３６が計測する時刻に基づいて、所定の時刻になることを待ちうける処理を行う（Ｓ３１）。所定の時刻ではない場合は（Ｓ３１：ＮＯ）、ＣＰＵ３１は待ち受けを続行する。所定の時刻になった場合（Ｓ３１：ＹＥＳ）、ＣＰＵ３１は、夫々のテレビジョン受信機１について記憶部３４に記憶している積算データに記録されたジャンル別の積算視聴時間に基づいて、複数のテレビジョン受信機１を複数のグループに分類する（Ｓ３２）。ステップＳ３２では、例えば、ＣＰＵ３１は、積算視聴時間が最も長いジャンル別に複数のテレビジョン受信機１を分類する。また例えば、ＣＰＵ３１は、積算視聴時間が長い順にジャンルを並べた順番の違いに応じて、複数のテレビジョン受信機１を分類する。また例えば、ＣＰＵ３１は、積算視聴時間が所定時間以上になったジャンルの組み合わせの違いに応じて、複数のテレビジョン受信機１を分類する。録画予約指示装置３は、分類の基準を示す情報を記憶部３４に記憶していてもよい。
【００４１】
ＣＰＵ３１は、次に、複数のテレビジョン受信機１を分類した複数のグループの中から、一つのグループを選択する（Ｓ３３）。ＣＰＵ３１は、選択したグループに含まれるテレビジョン受信機１について記憶部３４に記憶している積算データを参照し、所定数以上のテレビジョン受信機１で視聴された番組を特定する（Ｓ３４）。例えば、ＣＰＵ３１は、グループ内の複数のテレビジョン受信機１の内、予め定められた所定割合数以上のテレビジョン受信機１の積算データに記録された同一の番組ＩＤを抽出することによって、番組を特定する。また、例えば、ＣＰＵ３１は、予め定められた所定数個のテレビジョン受信機１の積算データに記録された同一の番組ＩＤを抽出する。ＣＰＵ３１は、次に、記憶部３４に記憶している番組データを参照し、特定した番組の次回放送分に相当する番組を特定する（Ｓ３５）。
【００４２】
ＣＰＵ３１は、次に、特定した番組の録画予約を行うことを指示する録画予約指示情報を生成し、生成した録画予約指示情報をグループ内の複数のテレビジョン受信機１へ送信する処理を行う（Ｓ３６）。録画予約指示情報には、番組の放送開始時刻及びチャンネル等の録画予約をすべき番組を示す情報が含まれている。ステップＳ３６では、ＣＰＵ３１は、通信部３５に、録画予約指示情報を、通信ネットワークＮを介してグループ内の複数のテレビジョン受信機１へ送信させる。ＣＰＵ３１は、次に、ステップＳ３３〜Ｓ３６の処理を行っていない他のグループがあるか否かを判定する（Ｓ３７）。他のグループがある場合は（Ｓ３７：ＹＥＳ）、ＣＰＵ３１は、処理をステップＳ３３へ戻して他のグループを選択する。他のグループが無い場合は（Ｓ３７：ＮＯ）、ＣＰＵ３１は、処理を終了する。なお、録画予約指示装置３は、ステップＳ３２〜Ｓ３７の処理を、所定の時刻になる都度実行するのではなく、所定の時間が経過する都度実行してもよい。また、録画予約指示装置３は、ステップＳ３１〜Ｓ３７の処理を毎日実行してもよく、二日以上の期間毎に実行してもよい。また、録画予約指示装置３は、ステップＳ３２の処理を、ステップＳ２５の直後に実行し、グループ別に分類した積算データを記憶部３４に記憶する処理を実行してもよい。また、録画予約指示装置３は、ステップＳ２３で受信した情報を記憶部３４に一旦記憶しておき、ステップＳ２４及びＳ２５の処理をステップＳ３１とＳ３２との間に実行してもよい。
【００４３】
テレビジョン受信機１は、通信ネットワークＮを介して録画予約指示装置３から送信された録画予約指示情報を、通信部１１０で受信する（Ｓ３８）。制御部１１は、録画すべき番組として、録画予約指示情報で録画予約を指示されている番組を録画すべき番組として指定した情報を記録した予約データを記憶部１５に記憶し（Ｓ３９）、処理を終了する。予約データには、番組の放送開始時刻及びチャンネル等、録画予約指示情報で録画予約を指示されている番組を示す情報が記録されている。なお、制御部１１は、ステップＳ３９で、ＣＥＣ通信部１４にＨＤＭＩ通信部１３を介して録画装置２へ予約データを送信させる処理を行ってもよい。このとき、録画装置２では、ＣＥＣ通信部２４はＨＤＭＩ通信部２３を介して予約データを受信し、制御部２１は記憶部２５に予約データを記憶する。録画予約システムは、ステップＳ２１〜Ｓ２５の処理、及びステップＳ３１〜Ｓ３９の処理を随時繰り返す。
【００４４】
予約データで指定された番組の放送開始時刻になった場合、制御部１１は、番組の録画を指示する録画指示情報を、ＣＥＣ通信部１４にＨＤＭＩ通信部１３を介して録画装置２へ送信させる。録画指示情報には、番組のチャンネルを示す情報が含まれる。録画装置２では、ＣＥＣ通信部２４はＨＤＭＩ通信部２３を介して録画指示情報を受信し、チューナ２７は、録画指示情報で録画を指示された番組を表す放送信号を受信し、処理部２２はＨＤＤ２８又は光ディスクドライブ２９に番組のデータを記録させる処理を行う。なお、テレビジョン受信機１は、チューナ１７で放送信号を受信し、番組の映像信号及び音声信号を録画装置２へ送信し、録画装置２は、受信した映像信号及び音声信号をエンコードしたデータを記録してもよい。また、録画装置２で予約データを記憶する形態では、制御部２１は、時計部２６が計測する時刻を参照し、予約データで指定された番組の放送開始時刻になった場合に、チューナ２７に放送信号を受信させ、処理部２２にデータ記録のための処理を実行させる。このようにして、録画予約指示装置３に録画予約を指示された番組が録画装置２で録画される。
【００４５】
以上詳述した如く、本実施の形態においては、テレビジョン受信機１は、放送時に視聴された番組の視聴時間を示す時間情報、及び録画装置２で再生された番組の視聴時間を示す時間情報を録画予約指示装置３へ送信する。録画予約指示装置３は、番組をジャンル分けし、時間情報が示す視聴時間をジャンル別に積算し、ジャンル別に積算した視聴時間に基づいて、複数のテレビジョン受信機１をグループに分類する。また、録画予約指示装置３は、グループ内の多くのテレビジョン受信機１で視聴された番組の次回放送分に相当する番組の録画予約を、グループ内のテレビジョン受信機１に指示する。番組のジャンル別に積算した視聴時間に応じてテレビジョン受信機１が分類されるので、使用者の嗜好に応じたテレビジョン受信機１の分類が行われる。放送時に視聴された番組に加えて、録画されてかつ視聴された番組の視聴時間に基づいた分類が行われるので、使用者の嗜好が精度良く反映されたテレビジョン受信機１の分類が行われる。同じグループ内に分類された多くのテレビジョン受信機１で視聴された番組の次回放送分に相当する番組は、使用者の嗜好に合った番組である可能性が高い。このため、使用者の嗜好に合った番組が選別される。この番組の録画予約が行われることにより、使用者の嗜好に合った番組の録画が確実に行われる。
【００４６】
なお、本実施の形態においては、テレビジョン受信機１が通信ネットワークＮに接続されている形態を示したが、録画装置２が通信ネットワークＮに接続されており、テレビジョン受信機１は、録画装置２を経由して情報を通信ネットワークＮへ送信する形態であってもよい。
【００４７】
（実施の形態２）
図１０は、実施の形態２に係る録画予約システムの構成を示す概念図である。本実施の形態においては、録画制御装置として、録画機能を有するテレビジョン受信機５が通信ネットワークＮに接続されている。図１１は、実施の形態２に係るテレビジョン受信機５の内部構成を示すブロック図である。テレビジョン受信機５は、ＨＤＤ５１及び光ディスクドライブ５２を備え、ＨＤＤ５１及び光ディスクドライブ５２は処理部１２に接続されている。テレビジョン受信機５内のその他の構成は、実施の形態１と同様であり、対応する部分に同符号を付してある。なお、テレビジョン受信機５は、ＨＤＤ５１及び光ディスクドライブ５２の内の何れか一方のみを備えた形態であってもよく、その他の記憶デバイスを備えた形態であってもよい。
【００４８】
本実施の形態においては、テレビジョン受信機５は、実施の形態１におけるテレビジョン受信機１及び録画装置２を合わせた処理を実行する。即ち、テレビジョン受信機５は、放送時に視聴された番組及び再生された番組の視聴時間を示す時間情報を録画予約指示装置３へ送信し、録画予約指示装置３に録画予約を指示された番組の録画予約を行う。本実施の形態においても、使用者の嗜好に合った番組の録画予約が行われ、使用者の嗜好に合った番組の録画が確実に行われる。
【００４９】
（実施の形態３）
図１２は、実施の形態３に係る録画予約システムの構成を示す概念図である。本実施の形態においては、録画制御装置はセットトップボックス６である。セットトップボックス６にはテレビジョン受信機１及び録画装置２が接続されており、またセットトップボックス６は通信ネットワークＮに接続されている。セットトップボックス６は、テレビジョン放送、有線放送又はインターネット放送等の方法で放送された放送信号を受信し、放送信号に基づいた映像をテレビジョン受信機１に表示させ、放送信号が表す番組を録画装置２に録画させる。
【００５０】
また、セットトップボックス６は、録画制御装置としての処理を実行する。即ち、セットトップボックス６は、放送時にテレビジョン受信機１で映像が表示された番組及び録画装置２で再生された番組の視聴時間を示す時間情報を録画予約指示装置３へ送信し、録画予約指示装置３に録画予約を指示された番組を録画装置２に録画させる処理を行う。本実施の形態においても、使用者の嗜好に合った番組の録画予約が行われ、使用者の嗜好に合った番組の録画が確実に行われる。なお、セットトップボックス６は、録画装置２の機能を備えた形態であってもよい。この形態では、セットトップボックス６は、放送時にテレビジョン受信機１で映像が表示された番組及び自身で再生した番組の視聴時間を示す時間情報を録画予約指示装置３へ送信し、録画予約指示装置３に録画予約を指示された番組の録画予約を行う。この形態でも、使用者の嗜好に合った番組の録画予約が行われる。
【００５１】
なお、本発明の録画予約システムは、複数種類の録画制御装置を含む形態であってもよい。例えば、録画予約システムは、実施の形態１で説明したテレビジョン受信機１と、実施の形態２で説明したテレビジョン受信機５と、実施の形態３で説明したセットトップボックス６とが通信ネットワークＮに接続された形態であってもよい。
【００５２】
以上の実施の形態１〜３においては、映像を含む番組を録画する録画予約システムを示したが、本発明は、映像を含まない音声放送の番組を記録する記録予約システムであってもよい。記録予約システムは、録画予約指示装置３と同様の記録予約指示装置と、セットトップボックス６と同様の記録制御装置とを含んでいる。記録制御装置には、音声出力装置と、音声放送の番組を記録する記録装置とが接続されている。記録制御装置は、音声出力装置又は記録装置の機能を備えていてもよい。記録制御装置は、録画制御装置と同様に、記録装置で再生された番組を示す番組情報、及び番組が再生された時間長さを示す時間情報を記録予約指示装置へ送信する。記録予約指示装置は、録画予約指示装置と同様の処理を行うことにより、記録制御装置に特定の番組の記録予約を指示する。この形態においても、使用者の嗜好に合った番組の記録予約が行われ、使用者の嗜好に合った番組の記録が確実に行われる。
【符号の説明】
【００５３】
１、５  テレビジョン受信機（録画制御装置）
１１  制御部
１２  処理部
１５  記憶部
１６  時計部
１７  チューナ
１８  表示部
１１０  通信部
２  録画装置
３  録画予約指示装置
３１  ＣＰＵ
３４  記憶部
３５  通信部
４  記録媒体
６  セットトップボックス（録画制御装置）
【図１】
2013219688.tif 000003
【図２】
2013219688.tif 000004
【図３】
2013219688.tif 000005
【図４】
2013219688.tif 000006
【図５】
2013219688.tif 000007
【図６】
2013219688.tif 000008
【図７】
2013219688.tif 000009
【図８】
2013219688.tif 000010
【図９】
2013219688.tif 000011
【図１０】
2013219688.tif 000012
【図１１】
2013219688.tif 000013
【図１２】
2013219688.tif 000014